(57)【要約】【課題】第三者が自動取引装置の紙幣投入返却口のシャッタ周辺に特殊な器具を取付けて、前記シャッタの開閉を妨害することにより、紙幣を詐取することを防止する。【解決手段】シャッタ５を有し、出金紙幣Ｍを集積する紙幣投入返却口２と、前記紙幣投入返却口２の前記シャッタ５上に異物があるかどうかを検知する受発光センサ８を設けた。前記受発光センサ８は前記紙幣投入返却口２の内部に設けた。出金紙幣Ｍを紙幣投入返却口２に集積する動作の前に、シャッタ５の開閉動作の確認と、受発光センサ８による異物検知の確認を行なう。【選択図】    図1
2010123091.tif 000002
【特許請求の範囲】
【請求項１】
シャッタを有し、出金貨幣を集積する接客口と、
前記接客口の前記シャッタ上に異物があるかどうかを検知するセンサを設けたことを特徴とする自動取引装置。
【請求項２】
更に、前記センサにより前記シャッタ上に異物があるかどうかを判定するとともに、前記シャッタが正常に開閉するかどうかを判定する制御部を有すること特徴とする請求項１記載の自動取引装置。
【請求項３】
前記センサは光学センサであることを特徴とする請求項１又は２記載の自動取引装置。
【請求項４】
前記センサは超音波センサであることを特徴とする請求項１又は２記載の自動取引装置。
【請求項５】
前記センサは前記接客口の内部に設けたことを特徴とする請求項１又は２記載の自動取引装置。
【請求項６】
接客口に出金貨幣を集積する前に、接客口のシャッタを開閉するように動作するシャッタ開閉工程と、
前記シャッタ開閉工程により前記シャッタが正常に開閉するかどうかを判定するシャッタ開閉判定工程と、
前記シャッタ開閉工程のうちシャッタ開動作の後に、シャッタ上に異物を検知する異物検知工程と、
シャッタが正常に開閉し、かつシャッタ上に異物が検知されなかった場合に、接客口に出金貨幣を集積する動作を行なう搬送工程を含むことを特徴とする自動取引装置の制御方法。
【発明の詳細な説明】
【技術分野】
【０００１】
本発明は、金融機関の営業店等に設置される自動取引装置に関するものである。
【背景技術】
【０００２】
従来、金融機関の営業店等に設置される自動取引装置は、入出金取引において、紙幣を投入又は返却するための紙幣投入返却口を有する。前記紙幣投入返却口は通常シャッタを有し、入金時においては、顧客が紙幣を投入完了すると前記シャッタを閉じ、投入紙幣を自動取引装置内に取込む。出金時においては、紙幣入出金部が出金紙幣を前記紙幣投入返却口に集積を完了すると、シャッタを開け、顧客が取出し可能とする。
【０００３】
特開２００８‐９７２４１号公報（特許文献１）には、このような自動取引装置の紙幣投入返却口のシャッタの開閉制御に関して、シャッタ動作に異常のある状態で接客口に紙幣を搬送することを防止し、シャッタ異常が原因で貨幣が第三者に持ち去られることを防止する技術が開示されている。前記特許文献１によれば、一旦確認のためシャッタの開閉動作を行ない、確認の結果正常であれば紙幣の搬送を行ない、正常でなければ紙幣の搬送を実行しないというものである。
【特許文献１】特開２００８‐９７２４１号公報
【発明の開示】
【発明が解決しようとする課題】
【０００４】
しかしながら、従来の方式では、第三者が自動取引装置の紙幣投入返却口のシャッタ周辺に特殊な器具を取付けて、前記シャッタの開閉を妨害することにより、紙幣を詐取しようとする犯罪を防止することはできないという問題があった。即ち、その例を図８により説明する。
【０００５】
図８は従来の故意による操作の例を示す説明図である。第三者は自動取引装置５１の紙幣投入返却口５２のシャッタ５５の上に、シャッタ５５に見せかけた特殊な器具５６を装着する（図８（ａ））。そのことに気が付かない顧客は、出金取引を行なう。自動取引装置５１は出金動作を行ない、紙幣投入返却口５２へ顧客の指定した金額に相当する紙幣Ｍを集積し、シャッタ５５を開くことにより、顧客が紙幣Ｍを取出すことを可能とする（図８（ｂ））。
【０００６】
しかしながら、顧客にはシャッタ５５が閉じているように見える。しかも特殊な器具５６の底部には、一旦開いたシャッタ５５の閉動作を阻止するロック機構５６ａが設けられている（図８（ｃ））。顧客はシャッタ５５が閉じているように見えるので紙幣Ｍを取出すことができない。そのため、所定時間後に自動取引装置５１はシャッタ５５を閉じようとするが、前記ロック機構５６ａが前記シャッタ５５の動作をロックしているためシャッタ５５は閉じることができない（図８（ｄ））。その後、顧客が紙幣Ｍの取出しを断念して、自動取引装置５１の前を立ち去ると、前記第三者は前記特殊な器具５６を外し、紙幣Ｍを取出すことができることとなる（図８（ｅ））。
【０００７】
本発明が解決しようとする課題は、第三者が自動取引装置の紙幣投入返却口のシャッタ周辺に特殊な器具を取付けて、前記シャッタの開閉を妨害することにより、紙幣を詐取しようとする犯罪を防止することができる自動取引装置を提供することにある。
【課題を解決するための手段】
【０００８】
上記課題を解決するための請求項１記載の発明は、シャッタを有し、出金貨幣を集積する接客口と、前記接客口の前記シャッタ上に異物があるかどうかを検知するセンサを設けたことを特徴とする自動取引装置である。また、請求項２記載の発明は、請求項１記載の発明の構成要素に加え、前記センサにより前記シャッタ上に異物があるかどうかを判定するとともに、前記シャッタが正常に開閉するかどうかを判定する制御部を有すること特徴とする自動取引装置である。
【発明の効果】
【０００９】
本発明によれば、紙幣返却口のシャッタ上に異物があるかどうかを検知するセンサを設けたことにより、シャッタ上に故意に前記特殊な器具等の異物が取付けられた場合、これを検知することが可能となるので、自動取引装置の紙幣返却口に特殊な器具を取付けて出金紙幣を詐取する犯罪を防止することができる。更に、出金時において紙幣投入返却口に紙幣を集積する前に、シャッタの開閉可能かどうかの確認を行ない、そして、シャッタ上に異物が存在しないかどうかの確認を行なった後に、出金貨幣を集積する動作を行なうようにしたので、自動取引装置の紙幣返却口に特殊な器具を取付けて出金紙幣を詐取する犯罪を防止することができる。
【発明を実施するための最良の形態】
【００１０】
以下、本発明の実施の形態を図面に従って説明する。図２は本実施の形態に関する自動取引装置（以下ＡＴＭという）１の外観図である。ＡＴＭ１は銀行等の金融機関やコンビニエンスストア等に設置され、入出金取引等が可能である。ＡＴＭ１は入出金取引において、顧客に対して紙幣を投入又は返却するための接客口としての紙幣投入返却口２を有する。入金取引等の紙幣を投入する取引においては、顧客が当該紙幣投入返却口２に紙幣をセットすると、これをＡＴＭ１が自動計数し、装置内部に取込む。支払取引等の紙幣を顧客に払出す取引においては、ＡＴＭ１が紙幣を自動計数し、当該紙幣投入返却口２に集積することにより、顧客が取出し可能とする。前記紙幣投入返却口２にはシャッタ５が設けられ、顧客が紙幣を投入又は取出しするときに開き、それ以外は閉じている。
【００１１】
また、ＡＴＭ１は同じく、硬貨を投入又は返却するための接客口としての硬貨投入返却口３を有する。入金取引等の硬貨をＡＴＭ１に投入する取引において、顧客が当該硬貨投入返却口３に硬貨をセットすると、これをＡＴＭ１が自動計数し、装置内部に取込む。支払取引等の硬貨を顧客に払出す取引においては、ＡＴＭ１が硬貨を自動計数し、当該硬貨投入返却口３に集積することにより、顧客が取出し可能とする。更に、ＡＴＭ１はキャッシュカードのカード挿入口４と、通帳の通帳挿入口６と、タッチパネル機能を備えた顧客操作表示画面７を有する。
【００１２】
図３は本実施の形態に関するＡＴＭ１の構成図である。１０はＡＴＭ１の各部を制御する制御部である。当該制御部１０は、ＲＡＭやＲＯＭ又はハードディスク等で構成された記憶部１１と接続される。制御部１０は記憶部１１に記憶された制御プログラムにより動作する。また、制御部１０は各処理に必要なデータを記憶部１１に書き込むことができ、必要に応じて記憶部１１から読み出すことができる。また、制御部１０は、図示しないホストコンピュータと通信部１８を介して接続され、入出金取引に関する情報を交換する。
【００１３】
１２は紙幣を処理するための紙幣入出金部であり、顧客により前記紙幣投入返却口２から投入される紙幣を真偽鑑別し、計数し、搬送して後述する紙幣収納部２３に収納する。更に、顧客に支払われる出金紙幣を前記紙幣収納部２３より繰出し紙幣投入返却口２に集積するものである。１３は硬貨を処理するための硬貨入出金部であり、顧客により前記硬貨投入返却口３から投入される硬貨を真偽鑑別し、計数し、搬送して図示しない硬貨収納部に収納し、又は顧客に支払われる硬貨を前記硬貨収納部より繰出し硬貨投入返却口３に集積するものである。
【００１４】
１４はカードリードライト部であり、顧客が前記カード挿入口４から挿入したキャッシュカードの情報を読取る。１５はレシートの発行処理を行なうレシート印字部である。レシート印字部１５は取引終了時にレシートを前記カード挿入口４から排出する。１６は通帳印字部であり、１７は前記顧客操作表示画面７を制御する操作表示部である。
【００１５】
図４は入出金紙幣の流れを示すＡＴＭの側断面図である。同図において、紙幣投入返却口２は、シャッタ５が開閉することにより、顧客が取出し可能な位置に出金紙幣を集積するとともに、顧客から投入される入金紙幣を受け入れる。紙幣収納部２３は紙幣を繰出し可能にかつ金種別に収納する。鑑別部２５は紙幣の計数及び真偽・金種等の鑑別を行なう。リジェクト収納部２６は出金時に鑑別部２５で出金不可と判定された紙幣を収納する。更に搬送路２７は、上記各部を接続して設けられ、上記各部間に紙幣を搬送する機能を有する。前記搬送路２７における搬送手段は、図示しない搬送ローラ又は搬送ベルトである。
【００１６】
前記紙幣投入返却口２は、分離繰出し部２２を備え、この分離繰出し部２２により顧客が投入した紙幣を前記搬送路２７に１枚毎に繰出す。また分離繰出し部２２により出金紙幣を搬送路２７から紙幣投入返却口２に１枚毎に集積する。紙幣収納部２３は、金種別に複数設けられ、それぞれ分離繰出し部２４により収納している紙幣を１枚毎に搬送路２７に繰出す。更に、紙幣収納部２３は、分離繰出し部２４により紙幣を収納する。
【００１７】
通常稼動時は、顧客が入金取引を選択して紙幣を紙幣投入返却口２に投入すると、シャッタ５が閉じられ、投入された紙幣は紙幣投入返却口２から搬送路２７を搬送されて鑑別部２５へ送られる。ここで出金に使用可能と判定されると該当する金種の紙幣収納部２３へ送られ、収納される。また顧客に出金する場合は、顧客が出金金額を入力すると、その金額に相当する紙幣が紙幣収納部２３から繰出され、鑑別部２５へ送られる。鑑別部２５で出金に問題ないと判定されると、搬送路２７を搬送されて紙幣投入返却口２へ送られる。出金金額に相当する紙幣が紙幣投入返却口２に集積されると、前記シャッタ５が開けられ、顧客は紙幣を取出す。
【００１８】
図５は本実施の形態に関する前記制御部１０の入出金機能を示す機能ブロック図である。前記制御部１０は前記記憶部１１に記憶された制御プログラムにより動作する。同図において、シャッタ開閉駆動部３１は、図示しないシャッタ駆動部を動作させ、前記シャッタ５を開閉する。シャッタセンサ検知部３２は、後述するシャッタ開センサ９ａ、シャッタ閉センサ９ｂ及び受発光センサ８を動作させ、検知信号を受信する。紙幣搬送部３３は、前記分離繰出し部２２及び２４を動作させ、更に図示しない搬送ローラ又は搬送ベルトを動作させて、紙幣を前記搬送路２７に搬送させる。紙幣計数鑑別制御部３４は、前記鑑別部２５により行なう紙幣の計数及び真偽・金種等の鑑別を制御し、その結果を受信する。なお、制御部１０は前記各部の動作を制御する。
【００１９】
次に、図１により本実施の形態に関する紙幣投入返却口２の構造を説明する。図１は本実施の形態に関する構成図である。前記紙幣投入返却口２は前記ＡＴＭ１の筐体の一部に設けられる。紙幣投入返却口２は開閉可能にシャッタ５を有し、シャッタ５はＡＴＭ１の筐体に沿って、ＡＴＭ１の筐体の内側を水平方向（図示矢印方向）に移動可能である。シャッタ５の移動は前述の通り制御部１０の制御により、シャッタ開閉駆動部３１が図示しないシャッタ駆動部を駆動することにより行なわれる。同図において、実線で示すシャッタ５の位置は閉じた状態を示し、破線で示す位置は開いた状態を示す。ＡＴＭ１の筐体内部には、シャッタ閉センサ９ａとシャッタ開センサ９ｂが設けられる。シャッタ閉センサ９ａはシャッタ５が閉じたことを検知し、シャッタ開センサ９ｂは開いたことを検知する。一方、紙幣投入返却口２内部には、紙幣を載置する紙幣受け部１９と、シャッタ５上に異物があるかどうか検知する受発光センサ８を有する。シャッタ開センサ９ａ、シャッタ閉センサ９ｂ及び受発光センサ８の動作は、前述の通り制御部１０の制御により、シャッタセンサ検知部３２が行ない、検知信号は前記シャッタセンサ検知部３２が受信する。
【００２０】
次に、本実施の形態における出金時の動作について図６及び図７を用いて説明する。図６は本実施の形態に関する出金時の動作を示す説明図である。図７は本実施の形態に関する出金時の動作を示すフローチャートである。出金時において、まず制御部１０は、紙幣Ｍを前記紙幣投入返却口２に搬送する前に、前記シャッタ開閉駆動部３１を制御し、シャッタ５を一度開く（図６（ａ）、Ｓ１０１）。シャッタ開センサ９ｂはこれを検知すると、前記シャッタセンサ検知部３２は開信号を制御部１０に送信する。シャッタ５が開かない場合、即ち、制御部１０が開信号を受信しなかった場合、制御部１０は図示しない警報手段により顧客に対し警報を行ない、以後の処理を中断する（Ｓ１０２）。
【００２１】
シャッタ５が開いた後、制御部１０は前記シャッタセンサ検知部３２より、前記受発光センサ８を作動させる（図６（ｂ）、Ｓ１０３）。受発光センサ８からの検知信号はシャッタセンサ検知部３２へ送信され、シャッタセンサ検知部３２は検知信号を制御部１０に送信する。異物があるとの検知信号の場合は、制御部１０は同じく警報手段により顧客に対し警報を行ない、以後の処理を中断する（図６（ｃ）、Ｓ１０４）。
【００２２】
異物がないとの検知信号の場合は、制御部１０は前記シャッタ開閉駆動部３１を制御し、一旦シャッタ５を閉じる（図６（ｄ）、Ｓ１０５）。シャッタ閉センサ９ａはこれを検知すると、前記シャッタセンサ検知部３２は閉信号を制御部１０に送信する。シャッタ５が閉じない場合、即ち、制御部１０が閉信号を受信しなかった場合、制御部１０は同じく警報手段により顧客に対し警報を行ない、以後の処理を中断する（Ｓ１０６）。
【００２３】
制御部１０は、前記シャッタセンサ検知部３２からの閉信号により、シャッタ５が閉じたことを確認すると、前記紙幣搬送部３３を制御し、紙幣投入返却口２の紙幣受け部１９に紙幣Ｍを搬送する（図６（ｅ）、Ｓ１０７）。その後、制御部１０は前記シャッタ開閉駆動部３１を制御することにより、シャッタ５を開き、顧客が紙幣投入返却口２の紙幣受け部１９から紙幣Ｍを取出し可能とする（（図６（ｆ）、Ｓ１０８）。
【００２４】
前記実施の形態において、受発光センサ８は紙幣投入返却口２内部に設けることとしたが、受発光センサを一対の発光素子と受光素子とし、発光素子からの発射光を前記異物に反射させ、反射光を受光素子で受光することにより、異物を検知することとしてもよい。また、一対の発光素子と受光素子のうち、一方を前記紙幣投入返却口２内部に設け、他方を前記紙幣投入返却口２の外部に設けることにより、発光素子からの発射光を異物が遮断することにより異物を検知するようにしてもよい。更に、受発光センサ８はこれに限らず、近接物を検知することが可能であれば、超音波センサ、その他の方式のセンサであってもよい。更に、前記実施の形態において、接客口としての紙幣投入返却口２を例に説明したが、これに限らず、硬貨を扱う硬貨投入返却口３であっても適用可能である。
【００２５】
以上本実施の形態によれば、接客口としての紙幣投入返却口２に受発光センサ８を設け、出金時において紙幣投入返却口２に紙幣Ｍを集積する前に、シャッタ５の開閉可能かどうかの確認を行ない、更に、シャッタ５上に異物が存在しないかどうかの確認を行なった後に、出金貨幣を集積する動作を行なうようにしたので、第三者がシャッタ５に特殊な器具５６を取付けて、顧客の紙幣Ｍを詐取することを防止することができる。
【図面の簡単な説明】
【００２６】
【図１】本実施の形態に関する構成図である。
【図２】本実施の形態に関するＡＴＭの外観図である。
【図３】本実施の形態に関するＡＴＭの構成図である。
【図４】入出金紙幣の流れを示すＡＴＭの側断面図である。
【図５】本実施の形態に関する制御部の入出金機能を示す機能ブロック図である。
【図６】本実施の形態に関する出金時の動作を示す説明図である。
【図７】本実施の形態に関する出金時の動作を示すフローチャートである。
【図８】従来の故意による操作の例を示す説明図である。
【符号の説明】
【００２７】
１        ＡＴＭ（自動取引装置）
２        紙幣投入返却口
３        硬貨投入返却口
４        カード挿入口
５        シャッタ
８        受発光センサ
９ａ      シャッタ開センサ
９ｂ      シャッタ閉センサ
１０    制御部
３１    シャッタ開閉駆動部
３２    シャッタセンサ検知部
【図１】
2010123091.tif 000003
【図２】
2010123091.tif 000004
【図３】
2010123091.tif 000005
【図４】
2010123091.tif 000006
【図５】
2010123091.tif 000007
【図６】
2010123091.tif 000008
【図７】
2010123091.tif 000009
【図８】
2010123091.tif 000010